(57)【要約】  【課題】ＬＥＤ蛍光管の点灯制御を容易ならしめるとともに、小型、軽量化かつ低コストの人体感知センサー式ＬＥＤ蛍光灯を提供すること。  【解決手段】既存のグロースターター式蛍光灯の灯具１に装着して成る人体感知センサー式ＬＥＤ蛍光灯１００であり、既存のグロースターター式蛍光灯のグロー球に代えてグロー球差込ソケット１ｆに、グロー球差込ソケット１ｆからの電源供給を受けて駆動する人体感知センサー部３Ａを装着する。また、既存のグロースターター式蛍光灯の蛍光管に代えて蛍光管ソケット１ｄに、人体感知センサー部３Ａからの発信信号Ｓを受信してＬＥＤ素子２０を点灯させる受信回路４と、ＬＥＤ素子の駆動回路５とを内蔵したＬＥＤ照明管２Ａを装着する。【選択図】図１
2011081983.tif 000002
【特許請求の範囲】
【請求項１】
既存のグロースターター式蛍光灯の灯具に装着して成る人体感知センサー式ＬＥＤ蛍光灯であって、
前記既存のグロースターター式蛍光灯のグロー球に代えてグロー球差込ソケットに着脱可能に設けられ、該グロー球差込ソケットから電源の供給を受けて駆動する人体感知センサー部と、
前記既存のグロースターター式蛍光灯の蛍光管に代えて蛍光管ソケットに着脱可能に設けられ、複数のＬＥＤ素子、該ＬＥＤ素子の駆動回路、及び前記人体感知センサー部から発信される信号を受信して前記ＬＥＤ素子の点灯を開始する受信回路を内蔵したＬＥＤ照明管と、
を備えていることを特徴とする人体感知センサー式ＬＥＤ蛍光灯。
【請求項２】
前記ＬＥＤ照明管が、前記蛍光管ソケットにそのまま着脱可能で、かつ着脱方向を選ぶことなく装着可能であることを特徴とする請求項１に記載の人体感知センサー式ＬＥＤ蛍光灯。
【請求項３】
前記人体感知センサー部は、
前記グロー球差込ソケットに接続される電極と一体化された筐体内に人体感知センサーと電源回路とが内蔵され、
前記筐体は、前記人体感知センサーを感知させたい方向へ自在に回転、固定できる関節構造を有することを特徴とする請求項１叉は請求項２に記載の人体感知センサー式ＬＥＤ蛍光灯。
【請求項４】
前記人体感知センサー部は、
前記グロー球差込ソケットに接続される電極から、リード線で接続された人体感知センサーと電源回路とを内蔵した筐体で構成されることで、前記グロースターター式灯具から離れた場所へ前記人体感知センサーを配設可能であることを特徴とする請求項１叉は請求項２に記載の人体感知センサー式ＬＥＤ蛍光灯。
【請求項５】
既存のグロースターター式蛍光灯の灯具に装着して成る人体感知センサー式ＬＥＤ蛍光灯であって、
前記既存のグロースターター式蛍光灯のグロー球に代えてグロー球差込ソケットに着脱可能に設けられ、該グロー球差込ソケットから電源の供給を受けて駆動する人体感知センサー部と、
前記既存のグロースターター式蛍光灯の蛍光管に代えて蛍光管ソケットに着脱可能に設けられ、複数のＬＥＤ素子及び該ＬＥＤ素子の駆動回路を内蔵したＬＥＤ照明管とを備え、
該ＬＥＤ照明管は、前記グロー球の２つの隣接する電極間を接続する電極短絡手段を内蔵し、
前記人体感知センサー部は、該人体感知センサー部が人体を感知すると同時に前記電極間を接続することにより前記ＬＥＤ照明管に電力を供給するスイッチング手段と、
一方、人体を感知しない時間帯においては、前記人体感知センサー部を駆動するための電力を前記グロー球の２つの電極から受けて充電手段へ充電する充電手段とを備えたことを特徴とする人体感知センサー式ＬＥＤ蛍光灯。
【発明の詳細な説明】
【技術分野】
【０００１】
本発明は、人体感知センサーからの感知信号に基づいてＬＥＤ蛍光管を点灯させる人体感知センサー式ＬＥＤ蛍光灯に関する。
【背景技術】
【０００２】
周知のように、蛍光灯のスターター方式には、グロースターター式、ラピッド式、インバータ式がある。このうちグロースターター方式の蛍光灯は、一般家庭用として多く普及されているタイプの照明器具であり、その照明管を例えば焦電センサー等の人感センサーが人体から放射した赤外線を感知し、当該信号に基づいて点灯させる蛍光灯が知られている（例えば特許文献１）。
【０００３】
近年は、グローバル的な省エネ化、長寿命化の要請から、複数のＬＥＤ素子を光源として管球内部に内蔵させたＬＥＤ照明管が普及しつつあるが、その用途は、長寿命の特長を生かした、例えばトンネルや高速道路の街路灯のように連続点灯が必要な分野が多いのが現状である。
【０００４】
しかし、例えばマンションの通路、階段照明等の用途おいては、点灯個数が多いうえ、照明時間は、夜間中は連続点灯させる上記街路灯とは異なり、通行者があるときだけでよい。
【０００５】
したがって、マンションの通路、階段照明等は、人感センサーによる感知信号に基づいて頻繁にオンオフさせた方が省エネの観点からは有利である。また、そのようなオンオフ操作をしてもＬＥＤ照明管はその特性上、頻繁な点滅操作に耐えられるから、ＬＥＤ照明管においても、グロースターター式蛍光管と同様に人体感知センサーに基づく点滅操作が可能なものが望まれていた。
【０００６】
しかしながら、ＬＥＤ蛍光管の点灯対象は、グロースターター式蛍光灯とは異なり、管球内部に内蔵されている複数のＬＥＤ素子であるから、その駆動回路と点灯のための送受信回路をどうするかが、また、人体感知センサーの電源を何処から取るかが問題であった。
【０００７】
しかし、従来技術においては、このような問題を解決したものは見当たらない。
【先行技術文献】
【特許文献】
【０００８】
【特許文献１】特開２００１−３５１４０２（請求項２、図３）
【発明の概要】
【発明が解決しようとする課題】
【０００９】
本発明は、このような事情に鑑みて成されたものであり、ＬＥＤ蛍光管に対し、人体感知センサーでその点灯制御を容易ならしめた人体感知センサー式ＬＥＤ蛍光灯を提供することを第１の目的とし、小型化かつ軽量化並びに低コスト化が可能な人体感知センサー式ＬＥＤ蛍光灯を提供することを第２の目的とする。
【課題を解決するための手段】
【００１０】
上記目的を達成するため、本発明は、既存のグロースターター式蛍光灯の灯具に装着して成る人体感知センサー式ＬＥＤ蛍光灯であって、前記既存のグロースターター式蛍光灯のグロー球に代えて、グロー球差込ソケットに着脱可能に設けられ、該グロー球差込ソケットから電源の供給を受けて駆動する人体感知センサー部と、前記既存のグロースターター式蛍光灯の蛍光管に代えて蛍光管ソケットに着脱可能に設けられ、複数のＬＥＤ素子、該ＬＥＤ素子の駆動回路、及び前記人体感知センサー部から発信される信号を受信して前記ＬＥＤ素子の点灯を開始する受信回路を内蔵したＬＥＤ照明管と、を備えていることを第１の特徴とする。
【００１１】
本発明において、人体感知センサー式ＬＥＤ蛍光灯とは、灯具(蛍光灯本体)、ＬＥＤ照明管(管球)及び人体感知センサー部を含めた全体をいうものとする。
【００１２】
また、「既存のグロースターター式蛍光灯の灯具に装着して成る」とは、本発明の人体感知センサー式ＬＥＤ蛍光灯の構成部材である上記「ＬＥＤ照明管」と、「人体感知センサー部」とが、既存のグロースターター式蛍光灯の構成部材である「蛍光管ソケット」と、「グロー球差込ソケット」のそれぞれに着脱可能であり、そのための必要な形状、寸法等については相互に互換性があることを言う。
【００１３】
したがって、以下の説明においては、本発明の人体感知センサー式ＬＥＤ蛍光灯で用いる「灯具(蛍光灯本体)」については、現在使用中の既存のグロースターター式蛍光灯の灯具の使用を前提に説明しているが、新品の灯具であっても良いことは勿論である。
【００１４】
人体感知センサー部の感知方式としては、人体の存在を検知しうるものならば、特に限定するものではなく、例えば焦電センサー方式のものが一般的であるが、その他、超音波方式、レーザ発振方式のものであっても良い。
【００１５】
また、ＬＥＤ照明管に内蔵される「ＬＥＤ素子」についても、照明器具としては白色ＬＥＤが一般的であるが、その他、用途に応じて赤(Ｒ)、緑(Ｇ)、青(Ｂ)など適宜のものを組み合わせて用いたものでも良い。
【００１６】
また、本発明は、前述の発明において、前記ＬＥＤ照明管が、前記蛍光管ソケットにそのまま着脱可能で、かつ着脱方向を選ぶことなく装着可能であることを第２の特徴とする。
【００１７】
また、本発明は、前述の発明において、前記人体感知センサー部は、前記グロー球差込ソケットに接続される電極と一体化された筐体内に人体感知センサーと電源回路とが内蔵され、前記筐体は、前記人体感知センサーを感知させたい方向へ自在に回転、固定できる関節構造を有することを第３の特徴とする。
【００１８】
また、本発明は、前述の発明において、前記人体感知センサー部は、前記グロー球差込ソケットに接続される電極からリード線で接続された人体感知センサーと電源回路とを内蔵した筐体で構成されることで、前記グロースターター式灯具から離れた場所へ前記人体感知センサーを配設可能であることを第４の特徴とする。
【００１９】
また、本発明は、既存のグロースターター式蛍光灯の灯具に装着して成る人体感知センサー式ＬＥＤ蛍光灯であって、前記既存のグロースターター式蛍光灯のグロー球に代えてグロー球差込ソケットに着脱可能に設けられ、該グロー球差込ソケットから電源の供給を受けて駆動する人体感知センサー部と、前記既存のグロースターター式蛍光灯の蛍光管に代えて蛍光管ソケットに着脱可能に設けられ、複数のＬＥＤ素子及び該ＬＥＤ素子の駆動回路を内蔵したＬＥＤ照明管とを備え、該ＬＥＤ照明管は、前記グロー球の２つの隣接する電極間を接続する電極短絡手段を内蔵し、前記人体感知センサー部は、該人体感知センサー部が人体を感知すると同時に前記電極間を接続することにより前記ＬＥＤ照明管に電力を供給するスイッチング手段と、一方、人体を感知しない時間帯においては、前記人体感知センサー部を駆動するための電力を前記グロー球の２つの電極から受けて充電手段へ充電する充電手段とを備えたことを第５の特徴とする。
【発明の効果】
【００２０】
本発明の第１の特徴を有する人体感知センサー式ＬＥＤ蛍光灯によれば、既存のグロースターター式蛍光灯の灯具のグロー球差込ソケットに、既存のグロー球に代えて人体感知センサー部を、また、同様に既存の蛍光管ソケットに、既存の蛍光管に代えてＬＥＤ素子の点灯を開始する受信回路を内蔵したＬＥＤ照明管を、相互に互換性を有した状態で装着できるので、ＬＥＤ素子を内蔵したＬＥＤ照明管に対しても容易に点灯制御が可能な人体感知センサー式ＬＥＤ蛍光灯が低コストで得られる。
【００２１】
第２の特徴を有する人体感知センサー式ＬＥＤ蛍光灯によれば、第１の特徴を有する人体感知センサー式ＬＥＤ蛍光灯の効果に加え、ＬＥＤ照明管が、既存の蛍光管ソケットにそのまま着脱可能で、かつ着脱方向を選ぶことなく装着可能である。
【００２２】
したがって、ＬＥＤ照明管の取り付けに方向性がないので、既存の蛍光管と同様、誰にでも容易に取り付ける事ができる。
【００２３】
第３の特徴を有する人体感知センサー式ＬＥＤ蛍光灯によれば、第１の特徴と第２の特徴を有する人体感知センサー式ＬＥＤ蛍光灯の効果に加え、人体感知センサー部の筐体部分が人体感知センサーを感知させたい方向へ自在に回転、固定できる関節構造を有するので、本発明のＬＥＤ蛍光灯の設置環境に応じて人体感知センサーの向きを調整でき、人体感知センサーの感知精度を向上することができる。
【００２４】
第４の特徴を有する人体感知センサー式ＬＥＤ蛍光灯によれば、第１の特徴と第２の特徴を有する人体感知センサー式ＬＥＤ蛍光灯の効果に加え、人体感知センサーと電源回路とを内蔵した筐体部分が、グロー球差込ソケットの電極からリード線で接続することができるので、人体感知センサーを灯具から離れた場所へ更に延長することができる。
【００２５】
第５の特徴を有する人体感知センサー式ＬＥＤ蛍光灯によれば、ＬＥＤ蛍光管内部に人体感知センサーの受信手段を必要としないので、その分、ＬＥＤ蛍光管の小型化かつ軽量化が可能となり、更にコストダウンも可能となる。
【００２６】
また、本発明の人体感知センサー式ＬＥＤ蛍光灯は、第１〜第４の特徴を有する人体感知センサー式ＬＥＤ蛍光灯と異なり、既存のグロースターター式蛍光灯の灯具からの電源を人体感知センサーの電源とする必要がない点で、本発明の人体感知センサー式ＬＥＤ蛍光灯は、センサー電源の有無にかかわらず使用可能であるという適用範囲の広い優れた効果を有する。
【図面の簡単な説明】
【００２７】
【図１】本発明に係る人体感知センサー式ＬＥＤ蛍光灯１００の分解斜視図である。
【図２】図１の人体感知センサー式ＬＥＤ蛍光灯１００を構成する灯具１の電気回路図である。
【図３】図３（ａ）は、図２の灯具１の電気回路図中に、図１のＬＥＤ蛍光管２Ａの電気回路図を追記した電気回路図、図３（ｂ）は、図３（ａ）中の赤外線受信回路／ＬＥＤ点灯回路１１の詳細電気回路図である。
【図４】図１の人体感知センサー部３Ａの電気回路図である。
【図５】図１の人体感知センサー部３Ａの他例の斜視図で、図５(ａ)は、感知部が捻じ込みソケットに対して固定位置にあるタイプ、図５(ｂ)は、捻じ込みソケットに対して感知部が固定位置にある一体型タイプ、図５(ｃ)は、捻じ込みソケットに対して感知部の向きが変えられるタイプ、図５(ｄ)は、捻じ込みソケットに対して感知部の位置が延長できるタイプの斜視図である。
【図６】図１とは異なる態様の、本発明に係る人体感知センサー式ＬＥＤ蛍光灯２００の全体回路図である。
【図７】図６中の人体感知センサー部３Ｅのタイムチャート図である。
【符号の説明】
【００２８】
１・・・灯具
１ａ・・・筐体
１ｃ・・・蛍光灯差込電極ピン孔
１ｄ・・・蛍光管ソケット
１ｆ・・・グロー球のねじ込みソケット
２Ａ、２Ｂ・・・ＬＥＤ蛍光管
２ａ・・・ガラス管
２ｂ・・・電極ピン
３Ａ、３Ｂ・・・人体感知センサー部
３ａ・・・人体感知センサー
３ｂ・・・プラグ
７・・・商用電源
８・・・安定器
１０・・・半波整流回路
１２・・・人体感知用焦電センサー
２０・・・ＬＥＤ素子
２２・・・赤外線受信用ＩＣ
３２・・・充電手段
３４・・・電極間接続手段
３６・・・電極部短絡手段
１００、２００・・・人体感知センサー式ＬＥＤ蛍光灯（本発明）
Ｍ・・・人体
Ｓ・・・赤外線信号
【発明を実施するための形態】
【００２９】
以下、本発明の好ましい実施の形態を図面に基づいて説明する。
【実施形態１】
【００３０】
図１は、本発明に係る人体感知センサー式ＬＥＤ蛍光灯１００の全体斜視図である。
【００３１】
図１において、本発明に係る人体感知センサー式ＬＥＤ蛍光灯１００は、構成部材を大別すると、灯具１と、ＬＥＤ蛍光管２Ａと、人体感知センサー部３Ａとで構成されている。
【００３２】
各構成部材別に説明すると、灯具１は、スターター方式がグロースターター式の既存の蛍光灯１００の本体部分であり、長方形状の筐体１ａの裏側には、商用１００Ｖ電源の図示しないコンセントに接続する電源プラグ１ｂが、また、筐体１ａの両端部には、隣接する２つの電極ピン孔１ｃが対向するように配設された一対のソケット１ｄが設けられている。また、筐体１ａ内部には安定器１ｅが固定されている。さらに、筐体１ａの側面には、グロー球の捻じ込みソケット１ｆが設けられ、これらの電気部品が筐体１ａ内部で配線により電気的に接続されている。
【００３３】
ＬＥＤ蛍光灯２は、ガラス管２ａ内部に内蔵されている複数個の図示しないＬＥＤ素子によって発光する蛍光管であり、その両端部には２本の電極ピン２ｂが設けられている。この電極ピン２ｂの形状と寸法は、図示しない既存のグロースターター式蛍光管に代えて、ＬＥＤ蛍光灯２を上記一対の蛍光灯差込電極ピン孔１ｃに着脱可能なように、既存のグロースターター式蛍光管と互換性があるようになっている。なお、ＬＥＤ蛍光灯２内部のＬＥＤ素子の構成や駆動回路の詳細については図３で詳述する。
【００３４】
人体感知センサー部３Ａは、人体Ｍの存在を人体Ｍから発生する赤外線Ｉにより感知するための焦電センサーであり、感知センサー３ａと、前述の灯具１の捻じ込みソケット１ｆに捻じ込まれるプラグ３ｂと、両者間を接続する延長コード３ｃとから成る。
【００３５】
すなわち、本発明に係る人体感知センサー式ＬＥＤ蛍光灯１００は、既存のグロースターター式蛍光灯の灯具１の蛍光灯差込電極ピン孔１ｃに、図示しない既存の蛍光管に代えて、ＬＥＤ式蛍光管２を着脱するとともに、灯具１の捻じ込みソケット１ｆに、既存の蛍光灯の図示しないグロー球に代えて、人体感知センサー部３Ａのプラグ３ｂを着脱するようにしたものである。
【００３６】
次に、これら電気部材の電気回路を図２〜図５に基づいて説明する。
＜灯具１の回路構成＞  図２は、図１の灯具１の電気回路図である。
【００３７】
図２において、灯具１は、商用電源(交流１００Ｖ)７に直列に接続された安定器８と、その出力側に設けられたそれぞれ２個の孔からなる一対の蛍光灯差込電極ピン孔１ｃと、図の右側の蛍光灯差込電極ピン孔１ｃの先に設けられたグロー球のねじ込みソケット１ｆを介して、再び下方右側の差込電極ピン孔１ｃへと接続されている。
【００３８】
この場合、図示しない通常のグロースターター式蛍光灯においては、通常の管球(タイプ：ＦＬ、ＦＣＬ)を接続し、図示しないスイッチをオンにすると、安定器８と図示しないグロー球のスイッチ動作によって発生される瞬時電力により、放電動作が開始され、管球が点灯するようになっている。
＜ＬＥＤ蛍光管２Ａの回路構成＞
図３は、図１中に示されているＬＥＤ蛍光管２Ａの電気回路図であり、このうち図３（ａ）は、図２の灯具１の電気回路図中に、図１のＬＥＤ蛍光管２Ａの電気回路図を追記した回路図、図３（ｂ）は、図３（ａ）中の赤外線受信回路／ＬＥＤ点灯回路１１の詳細回路図である。
【００３９】
図３（ａ）に示すように、ＬＥＤ蛍光管２Ａの電気回路は、中心部に位置する赤外線受信回路／ＬＥＤ点灯回路１１(詳細後述)と、その両側に位置するとともに、前記既存の蛍光灯差込電極ピン孔１ｃに接続される半波整流回路１０とから成り、これらの回路１０、１１がガラス管２ａ内に内蔵されている。
＜半波整流回路１０＞
２つの半波整流回路１０は、いずれも隣接する２つの電極ピン２ｂ（蛍光灯差込電極ピン孔１ｃ）間を短絡させたあとに接続している。図のように、隣接する２つの電極ピン２ｂ間を短絡接続するのは、グロー球の捻じ込みソケット１ｆに商用電源７の電圧が印加されるようにするためである。因みにこの２つの捻じ込みソケット１ｆに図示しない全波整流回路を接続すると、ＬＥＤ蛍光管２Ａが点灯したときにダイオードブリッジで電圧が降下し、グロー球の捻じ込みソケット１ｆに印加される電圧が低下するのでその影響で人体感知センサー部３Ａ(図１参照)が誤動作しやすくなる。
【００４０】
したがって、ＬＥＤ蛍光管２Ａの内部においては、２つの電極ピン２ｂを短絡接続させると共に、そのあとに半波整流回路１０を接続するようにしており、このようにしたことは本発明の特徴の一つとなっている。
＜赤外線受信回路／ＬＥＤ点灯回路１１の回路構成＞
図３（ｂ）に示すように、赤外線受信回路／ＬＥＤ点灯回路１１は、赤外線受信回路４と、ＬＥＤ点灯回路５とで構成されている。
【００４１】
赤外線受信回路４は、図４で後述する人体感知センサー部３Ａから発信された人体感知信号を受信するためのもので、マイクロコントローラー１８Ｂと、赤外線受信用ＩＣ２２とで構成されている。ＬＥＤ点灯回路５は、前述した半波整流回路１０との接続端子２１と、直列接続された複数のＬＥＤ素子２０と、その半導体スイッチ１９とで構成されている。
【００４２】
すなわち、ＬＥＤ蛍光管２Ａは、１本の管球内に、人体感知信号の受信回路４と、そのＬＥＤ点灯回路５とが内蔵されたものである。
＜人体感知センサー部３Ａの構成＞
図４は、図１に示されている人体感知センサー部３Ａの電気回路図である。
【００４３】
図の人体感知センサー部３Ａは、人体Ｍの体温付近の赤外線Ｉ波長を高感度に感知できる受動型センサーであり、図１のグロー球のねじ込みソケット１ｆにねじ込み接続されるプラグ３ｂと、電源制御用マイクロコントローラー１８Ｃと、人体Ｍから発生した赤外線Ｉを感知する人体感知用焦電センサー１２と、増幅アンプ／フィルター回路１３と、マイクロコントローラー及び閾値判定回路１４と、点灯時間設定ボリューム１５と、センサー感度調整ボリューム１６と、赤外線ＬＥＤ１７とから構成され、これらが一体化されて上記プラグ３ｂが図１で前述したグロー球のねじ込みソケット１ｆに捻じ込み可能となっている。
【００４４】
ここで、上記人体感知用焦電センサー１２が受ける赤外線Ｉの入力信号は、非常に微弱な上、人体Ｍ以外の温度帯域のノイズ成分も多く含んでいる。そこで、まず受信した微弱な電位変動信号を増幅アンプ／フィルター回路１３中のフィルター回路で余分なノイズ信号を除去した後、増幅アンプで受信信号を増幅し、閾値判定回路によってその信号が人体を感知したと認めるレベルかどうかの感度判断をした後、デジタル信号に変換し、その結果を受けて赤外線ＬＥＤ１７をタイマー設定時間、駆動するように制御している。
【００４５】
これらの一連の回路は、マイクロコントローラーやアナログ回路手段によって、アナログ信号をデジタル信号へと変換処理し、赤外線ＬＥＤ１７を駆動するため、赤外線ＬＥＤ１７から３８ｋＨｚのパルス変調信号を発生させている。
＜人体感知センサー部３Ａ用の電源＞
前述したように、本発明では、図４に示した人体感知用焦電センサー１２及びその制御回路１３、１４等への駆動電源をどうするかが問題になる。
【００４６】
そこで、本発明の人体感知センサー式ＬＥＤ蛍光灯１００においては、図１で述べたようにグロー球のねじ込みソケット１ｆから取り出すことにした。このねじ込みソケット１ｆの電極には、商用電源１００Ｖが直列構成で印加されているので、交流電源を形成している。人体感知用焦電センサー１２及びマイクロコントローラー１３、１４等は直流５Ｖで動作するので、回路内でその程度の直流電圧を生成できればよく、本発明では電源制御用マイクロコントローラー１８Ｃで直流電圧を得ている。
＜感知エリアの感度調整及び点灯時間調整＞
人体Ｍの感知エリアの感度調整は、一般的に受動型人体感知センサーとして最も利用されている上記焦電型のものは、最大１０ｍ程度の感知が可能なものが出ている。したがって、感知エリアを狭める必要がある場合は、受信信号の閾値を調整することで感知エリアの調整が可能である。この機能が最も効果を発揮するのは、例えばマンションなどの通路などに本発明の人体感知センサー式ＬＥＤ蛍光灯１００を複数取り付けた場合である。当該人体感知センサー式ＬＥＤ蛍光灯１００は、一定間隔毎に配置される場合が多いが、前述したセンサー感度調整ボリューム１６の調整により、互いの人体感知センサー式ＬＥＤ蛍光灯１００同士の感知エリアがダブらないように調整することができる。
【００４７】
また、例えば長時間点灯が必要なマンションの玄関や廊下など、居住者の生活スタイルによって個々に点灯時間が異なる個人住居玄関の照明等における点灯時間調整は、点灯時間設定ボリューム１５の調整によって調整する。
＜人体感知センサー部３Ａの配置場所及び向き調整＞
図５(ａ) 〜図５(ｃ)は、図１に示されている人体感知センサー部３Ａの他例である。      
【００４８】
このうち、図５(ａ)及び図５(ｂ)は、感知センサー３ａがプラグ３ｄに対して固定されている固定タイプの感知センサー部３Ｂ、３Ｃの斜視図で、図５(ａ)は捻じ込みタイプのもの、図５(ｂ)は感知センサー部３Ｃの全体が一定角度回動することにより取付可能なタイプである。
【００４９】
これらの感知センサー部３Ｂ、３Ｃの内部には、図４で述べた電気回路が内蔵されており、人体感知センサー式ＬＥＤ蛍光灯１００の設置環境がいつも人体Ｍに対して特定位置にあるような場合には、これらのタイプで十分である。
【００５０】
一方、図５(ｃ)及び図５(ｄ)は、感知センサー３ｅ、３ａが設置環境によって調整可能なタイプの感知センサー部３Ｄ、３Ｅで、図５(ｃ)は感知方向が調整可能なタイプ、図５(ｄ)は感知位置が延長可能なタイプの斜視図である。
【００５１】
すなわち、図５(ｃ)の感知方向調整可能タイプの感知センサー部３Ｄは、プラグ３ｄに対して、焦電センサー３ｅを保持する筐体部分がＬ字状アーム３ｆになっており、このＬ字状アーム３ｆはプラグ３ｄの軸線を含む平面内と、プラグ３ｄ軸の直行平面内との２平面内で適当角度、回転できるようになっている。
【００５２】
また、図５(ｄ)の感知位置延長タイプの感知センサー部３Ａは、図１で前述したものと同じものであり、プラグ３ｂに対し、焦電センサー３ａが所定長さの延長コード３ｃで電気的に接続されているものである。
【００５３】
したがって、実際に人体感知センサー式ＬＥＤ蛍光灯１００が設置される場所に対し、人体Ｍを感知したい向きや場所が離れている場合には、図５(ｃ)のＬ字状アーム３ｆや図５(ｄ)の延長コード３ｃで人体感知センサー３ａ、３ｅを最適の向きや場所に調整、配置することができる。
＜作用及び効果＞
次に、本発明の人体感知センサー式ＬＥＤ蛍光灯１００の動作を図１乃至図４に基づいて説明する。
【００５４】
まず、図１において、作業者が既存のグロースターター式蛍光灯１００の灯具１の蛍光灯差込電極ピン孔１ｃに、ＬＥＤ蛍光管２Ａの電極ピン２ｂを差し込んで装着し、図示しないグロー球をねじ込みソケット１ｆから取り外し、その代わりに図の人体感知センサー部３Ａのプラグ３ｂを捻じ込むことで本発明の人体感知センサー式ＬＥＤ蛍光灯１００を得る。
【００５５】
そして、図示しないスイッチをオンにすると、図３（ａ）で前述したように、ＬＥＤ蛍光管２Ａの２本の電極ピン孔１ｃ間が蛍光管２内部で短絡接続されているので、グロー球のねじ込みソケット１ｆに通じる交流電源回路が成立し、ねじ込みソケット１ｆには交流１００Ｖの商用電源電圧が印加される。次に、図４の人体感知センサー部３Ａの電源制御用マイクロコントローラー１８Ｃでは、印加された交流電源を直流電源に変換し、マイクロコントローラー／閾値判定回路１４を駆動状態にする。
【００５６】
ここで、人体感知センサー部３Ａの人体感知用焦電センサー１２が人体Ｍから放射される赤外線Ｉを感知すると、その受信信号Ｓが図４に示す増幅アンプ／フィルター回路１３に入り、ここで余分なノイズ信号を除去した後、受信信号を増幅する。
【００５７】
次に、マイクロコントローラー／閾値判定回路１４でその信号が人体Ｍを感知したと認めるレベルかどうかの判断をした後、デジタル信号に変換し、赤外線ＬＥＤ１７から３８ｋＨｚのパルス変調信号Ｓを発生させ、タイマー設定時間だけ駆動する。
【００５８】
パルス変調信号Ｓが発信されると、その信号Ｓを図３（ｂ）のＬＥＤ蛍光管２Ａ内部の赤外線受信回路／ＬＥＤ点灯回路１１の赤外線受信用ＩＣ２２が受信する。そして、マイクロコントローラー１８Ｂが働いて、半導体スイッチ１９がオンになり、図３の半波整流回路１０により半波整流された電源を受けている複数のＬＥＤ素子２０、２０・・・を点灯させる。
【００５９】
本実施形態の人体感知センサー式ＬＥＤ蛍光灯１００によれば、図示しないグロー球のねじ込みソケット１ｆが安定器８(図１参照)と直列の回路構成を採っていることから、ねじ込みソケット１ｆより交流電力を取り出すことが可能である。そこで、既存のグロースターター式蛍光灯のグロー球に代えてグロー球のねじ込みソケット１ｆから供給される交流電力によって人体感知センサー部３Ａを動作させ、人Ｍが近くに来たときのみＬＥＤ蛍光管２Ａを点灯させることができ、ＬＥＤ蛍光管２Ａにおいても人体検知センサー部３Ａにより点灯制御が容易にできるのである。
【実施形態２】
【００６０】
前述の実施形態１の人体感知センサー式ＬＥＤ蛍光灯１００は、図１で前述したように、既存のグロースターター式蛍光灯の灯具１のグロー球のねじ込みソケット１ｆには常時、交流電源が印加された人体感知センサー部３Ａが設けられ、同様にＬＥＤ蛍光管２Ａの内部には、図３（ｂ）に示す如く、赤外線受信用ＩＣ２２と、マイクロコントローラー１８Ｂとを内蔵させていたが、本実施形態２の人体感知センサー式ＬＥＤ蛍光灯２００（第５の特徴を有する人体感知センサー式ＬＥＤ蛍光灯）は、これら構成からなる実施形態１の人体感知センサー式ＬＥＤ蛍光灯１００とは全く発想を異にするものである。
【００６１】
そこで、以下の説明では異なる部分のみ説明し、実施形態１と同一符号を用いた電気部品については本実施形態２においても同様であるから、その説明はここでは省略する事にする。
＜人体感知センサー式ＬＥＤ蛍光灯２００の回路構成＞
図６は、本実施形態の人体感知センサー式ＬＥＤ蛍光灯２００の電気回路図である。
【００６２】
図６に示すように、本実施形態の人体感知センサー式ＬＥＤ蛍光灯２００のＬＥＤ蛍光管２Ｂは、図３（ａ）で説明したＬＥＤ蛍光管２Ａのように照明用ＬＥＤ回路２９の上部に半波整流回路１０を有しておらず、ＬＥＤ蛍光管２Ｂ内部で一方の電極ピン２ｂ（蛍光灯差込電極ピン孔１ｃ）は電極部短絡手段３６によって短絡処理が施され、回路２９の下部には全波整流回路２８を有している。
【００６３】
また、人体感知センサー部３Ｅの駆動電源については、実施形態１の人体感知センサー部３Ａの駆動電源のように、グロー球のねじ込みソケット１ｆから常時受けているのではなく、自らが保有する充電手段３２により随時得ている。
【００６４】
すなわち、人体感知センサー部３Ｅの焦電センサー１２が人体から放射される図４の赤外線信号Ｓを感知すると（信号の増幅、フィルターなどは実施形態１の場合と同様）、増幅アンプ／マイクロコントローラー３３がデジタル処理をされた信号を受けて、電極間接続手段３４（つまりスイッチング手段）が閉じることによって自ら交流電力を受けているグロー球のねじ込みソケット１ｆ中の上部電極３６を短絡させる。すると、安定器８から供給されている交流電力がＬＥＤ蛍光管２Ｂの下部ソケット１ｃの電極が印加され、全波整流回路２８により全波整流されて照明用ＬＥＤ回路２９中の図示しないＬＥＤ素子列を駆動し、点灯を開始する。
【００６５】
このように、本実施形態２のＬＥＤ蛍光管２Ｂは、図の上方の電極ピン２ｂが蛍光管２Ｂ内部で電極部短絡手段３６で短絡処理されているので、ＬＥＤ蛍光管２Ｂの電極ピン２ｂを灯具１の電極ピン孔１ｃに差し込むべき向きを選ぶことなく、灯具１への着脱が可能となっている。
【００６６】
ところで、本実施形態の人体感知センサー部３Ｅは、電極間接続手段３４によってグロー球の差込ソケット１ｆの電極をオン状態のときだけ短絡するよう制御した結果、自らの電源が供給されなくなる。そこで本実施形態の人体感知センサー部３Ｅでは、焦電センサー１２が人体から放射される赤外線信号Ｓを感知していない期間中、すなわち人がいないときに降圧用電源回路３０を介して交流電力を供給し、逆流防止ダイオード３１で適宜電圧の直流に整流後、充電手段３２を充電している。
【００６７】
一方、焦電センサー１２が人体から放射される赤外線信号Ｓを感知して人体を感知している期間中は、この充電手段３２に充電されている直流電源の供給を受けて人体感知センサー部３Ｅの回路全体を動作させるようにした。
そのタイムチャートを図７に示す。
【００６８】
この図７では、人体感知センサー部３Ｅが人体からの赤外線信号Ｓを感知した時点で（図の上段参照）、グロー球の電極間電圧が下がり（図の中段参照）、この時点から充電手段３２が放電を開始して電極間接続手段３４を閉じ、グロー電極間が短絡するので、ＬＥＤ蛍光管２Ｂが点灯タイマー設定時間だけ点灯することを示し、タイマー設定時間が経過すると、消灯し、充電手段３２が急速充電される事（図の下段参照）を示している。
【００６９】
なお、図中の右下がりの破線Ｌは、図６の充電手段３２が容量不足であると、回路が停止する事を示している。この時の充電条件は、増幅アンプ／マイクロコントローラー３３により、タイマー時間を最大にしたときに、充電手段の蓄電容量のみでセンサー回路の電力を維持できることと、点灯動作が終了した後に、直ちに急速充電を行い、次の点灯動作に備える必要がある。
【００７０】
そこで、この充電手段３２の有効なものとして、例えば電気二重層コンデンサーがある。電気二重層コンデンサーは、容量は少ないが、超急速充電が可能である。そこで、本発明では、この特長を活かし、充電手段３２の設定すべき電流容量は、人体感知センサー部３Ｅの実消費電流の２倍程度の容量になるように、電気二重層コンデンサーを２直列接続することにより回路動作電圧を確保するようにし、安定した回路動作を実現している。
【００７１】
因みに充電手段３２に、十分な電流容量がないと、タイマー点灯動作中に電気二重層コンデンサーの電圧が低下し、人体感知センサーやマイクロコントローラー３３が動作不能に陥ってしまうので注意が必要である。なお、従来のニッカド電池やニッケル水素蓄電池を使用する場合は、極度な急速充電は不可能なので、実消費電流の１０倍から１００倍程度の１０分大きな容量のものを選べば使用は可能である。
＜作用及び効果＞
本実施形態２の人体感知センサー式ＬＥＤ蛍光灯２００によれば、前述の実施形態１の人体感知センサー部３Ａを用いた人体感知センサー式ＬＥＤ蛍光灯１００においては、ＬＥＤ蛍光管２Ａ内部に赤外線信号Ｓを受信する手段４(図３(ｂ)参照)が必ず必要であり、人体感知センサー部３Ａと、ＬＥＤ蛍光管２Ａとはどちらも専用機として、汎用に使用することはできなかった。
【００７２】
しかし、本実施形態における人体感知センサー式ＬＥＤ蛍光灯２００は、ＬＥＤ蛍光管２Ｂ内部に赤外線信号Ｓなどの受信手段は不要であり、グロー球の差込ソケット１ｆの電極に接続された人体感知センサー部３Ｅのみで、すなわち外部電源を必要としない状態でＬＥＤ蛍光管２Ｂの点灯のオンオフ制御が可能となる。
【００７３】
したがって、本実施形態２の人体感知センサー式ＬＥＤ蛍光灯２００によれば、ＬＥＤ蛍光管２Ｂ内部に受信手段を必要としないので、その分、小型化かつ軽量化が可能となり、更にコストダウンも可能となる。
【００７４】
また、実施形態１の人体感知センサー式ＬＥＤ蛍光灯１００と異なり、既存のグロースターター式蛍光灯の灯具１からの電源をセンサー電源として確保する必要がない点で、センサー電源の有無にかかわらず使用可能となる効果を有する。  以上、本発明の人体感知センサー式ＬＥＤ蛍光灯に関し、実施形態１と実施形態２の２形態の人体感知センサー式ＬＥＤ蛍光灯１００、２００について説明したが、これらはほんの一例であって、本発明の趣旨を逸脱しない限り、種々の変更、応用が可能である。
【００７５】
例えば、前述の実施形態１と実施形態２の人体感知センサー式ＬＥＤ蛍光灯１００、２００は、人体感知センサー部３Ａ〜３Ｅを常時、従来のグロースターター式蛍光灯のグロー球に代えて、その捩じ込みソケット１ｆの電極に固定していたが、これら人体感知センサー部３Ａ〜３Ｅの全体を、手元スイッチであるリモコンスイッチとすることも出来、このような態様も本発明の範囲内に含まれる事は勿論である。
【図１】
2011081983.tif 000003
【図２】
2011081983.tif 000004
【図３】
2011081983.tif 000005
【図４】
2011081983.tif 000006
【図５】
2011081983.tif 000007
【図６】
2011081983.tif 000008
【図７】
2011081983.tif 000009